(57)【特許請求の範囲】
【請求項１】
使用者の顔面の対象部位を覆うマスク本体と、前記マスク本体から延びる一対の耳掛け部と、を備えるマスクであって、
前記マスク本体は、
最外面を構成する不織布製の第１シートと、
前記第１シートよりも小さい繊維間隙であってウイルスを捕捉可能な大きさの繊維間隙を有する不織布製の第２シートと、
熱可塑性合成樹脂製の第３シートと、
最内面を構成する編み物製の第４シートと、を備え、
前記第１シート、前記第２シート、前記第３シート、及び前記第４シートが順に重ね合わされており、
前記第１シート及び前記第２シートは、前記第３シートをバインダとして前記第４シートに対して溶着されている、
マスク。
【請求項２】
前記編み物を構成する繊維が、ナイロン及びポリエステルの少なくとも１つにより形成されている、
請求項１に記載のマスク。
【請求項３】
前記第４シートは、折り返されて前記第１シートの外面の縁部を覆う折り返し部を有する、
請求項１または請求項２に記載のマスク。
【発明の詳細な説明】
【技術分野】
【０００１】
本発明は、マスクに関する。
【背景技術】
【０００２】
特許文献１には、基材シートを有するマスク本体と、一対の耳掛け部とを備えるマスクが記載されている。このマスクの基材シートは、肌対向面側に位置する内層シートと、外層シートと、内層シートと外層シートとの間に介在する中間シートとを有している。内層シート、外層シート、及び中間シートは、繊維不織布から形成されている。中間シートは、内層シート及び外層シートの繊維不織布の繊維よりも繊度が小さい極細繊維によって構成された繊維不織布から形成されている。内層シート及び外層シートは、スパンボンド繊維不織布から形成されている。中間シートは、上記極細繊維を使用したメルトブローン繊維不織布から形成されている。平面視において、単位面積当たりにおける中間シートの繊維間隙の総面積が、単位面積当たりにおける内層シート及び外層シートの繊維間隙の総面積よりも小さい。こうしたマスクにおいては、中間シートによってウイルスを捕捉可能である。
【先行技術文献】
【特許文献】
【０００３】
【特許文献１】特開２０１８−２０４１６９号公報
【発明の概要】
【発明が解決しようとする課題】
【０００４】
ところで、特許文献１に記載の含む従来のマスクにおいては、使用者の肌に接触する内側シートが繊維不織布から構成されている。しかし、繊維不織布は毛羽立ちやすいため、マスクの装着時に使用者に対して不快感を与えやすい。
【０００５】
本発明の目的は、ウイルスの捕捉性能と装着時における不快感の低減との両立を図ることのできるマスクを提供することにある。
【課題を解決するための手段】
【０００６】
上記の目的を達成するためのマスクは、使用者の顔面の対象部位を覆うマスク本体と、前記マスク本体から延びる一対の耳掛け部と、を備えるマスクであって、前記マスク本体は、最外面を構成する不織布製の第１シートと、前記第１シートよりも小さい繊維間隙であってウイルスを捕捉可能な大きさの繊維間隙を有する不織布製の第２シートと、熱可塑性合成樹脂製の第３シートと、最内面を構成する編み物製の第４シートと、を備え、前記第１シート、前記第２シート、前記第３シート、及び前記第４シートが順に重ね合わされており、前記第１シート及び前記第２シートは、前記第３シートをバインダとして前記第４シートに対して溶着されている。
【０００７】
同構成によれば、マスク本体に流入する空気に含まれるウイルスが第２シートによって捕捉される。
また、ウイルスを捕捉可能な第２シートよりも外側に第１シートが設けられているため、第２シートがマスク本体の最外面を構成する場合に比べて、最外面にウイルスが付着しにくい。また、使用者の肌に接触する第４シートが編み物製であるため、不織布製のシートのような毛羽立ちが生じにくく、肌触りが向上する。
【０００８】
特に、上記構成によれば、第１シート及び第２シートが、第３シートをバインダとして第４シートに対して溶着されているため、第１シート及び第２シートと第４シートとを容易に接合することができる。これにより、マスク本体の厚さを薄くできる。したがって、ウイルスの捕捉性能と装着時における不快感の低減との両立を図ることができる。
【０００９】
上記マスクにおいて、前記編み物を構成する繊維が、ナイロン及びポリエステルの少なくとも１つにより形成されていることが好ましい。
ナイロンやポリエステルにより構成される編み物は、吸湿性が低いことから、乾きやすい。また、ナイロンやポリエステルにより構成される編み物は皺になりにくい。このため、上記構成によれば、マスクを洗濯した際に第４シート、ひいてはマスク全体を早期に乾燥させることができる。また、第４シートに皺が生じることを抑制できる。
【００１０】
上記マスクにおいて、前記第４シートは、折り返されて前記第１シートの外面の縁部を覆う折り返し部を有することが好ましい。
同構成によれば、編み物製の第４シートの折り返し部によって第１シートの外面の縁部が覆われている。このため、第１シート、第２シート、及び第３シートの縁部が外部に露出しなくなる。したがって、マスク本体の縁部が毛羽立つことを抑制できる。したがって、肌触りが一層向上する。
【発明の効果】
【００１１】
本発明によれば、ウイルスの捕捉性能と装着時における不快感の低減との両立を図ることができる。
【図面の簡単な説明】
【００１２】
【図１】一実施形態のマスクの内面側を示す背面図。
【図２】一実施形態のマスクの外面側を示す正面図。
【図３】図２の３−３線に沿った断面図。
【図４】マスク本体を構成する複数のシートを分解して示す図。
【発明を実施するための形態】
【００１３】
以下、図１〜図４を参照して、一実施形態のマスク１０について説明する。
図１及び図２に示すように、マスク１０は、使用者の顔面の対象部位を覆うマスク本体１０Ａと、マスク本体１０Ａから延びる一対の耳掛け部２５とを備える。
【００１４】
耳掛け部２５は、伸縮可能な紐である。耳掛け部２５は、例えばポリエステル等の熱可塑性樹脂製の編み物または不織布により形成されている。
マスク本体１０Ａは、長方形のシート状である。マスク本体１０Ａは、使用者の顔面の鼻及び口を含む部分を覆うことができる大きさを有する。なお、以降において、マスク本体１０Ａの短辺方向及び長辺方向を単に幅方向Ｗ及び長さ方向Ｌと称することがある。
【００１５】
図４に示すように、マスク本体１０Ａは、最外面を構成する第１シート１１と、第２シート１２と、第３シート１３と、最内面を構成する第４シート１４とを備える。第１シート１１、第２シート１２、第３シート１３、及び第４シート１４が順に重ね合わされている。
【００１６】
図２〜図４に示すように、第１シート１１は、長方形である。本実施形態の第１シート１１は、例えば、スパンボンド不織布製であり、ポリプロピレン繊維により形成されている。
【００１７】
図３及び図４に示すように、第２シート１２は、正面視において第１シート１１と略同一の外形を有する長方形である。本実施形態の第２シート１２は、例えばメルトブローン不織布製であり、ポリプロピレン繊維により形成されている。第２シート１２は、第１シート１１よりも小さい繊維間隙であってウイルスを捕捉可能な大きさの繊維間隙を有する。具体的には、平面視において、単位面積当たりにおける第２シート１２の繊維間隙の総面積は、単位面積当たりにおける第１シート１１の繊維間隙の総面積よりも大きい。
【００１８】
なお、第１シート１１及び第２シート１２は、従来一般の不織布製のマスクの最外面を構成する不織布製のシート及び不織布製のフィルタとそれぞれ同様な構成である。
第３シート１３は、正面視において第１シート１１と略同一の外形を有する長方形である。第３シート１３は、熱可塑性合成樹脂製であり、通気性を有する。本実施形態の第３シート１３は、例えばポリエステルである。第３シート１３は、例えば、不織布製である。第３シート１３は、例えば、スパンボンド不織布製であり、第１シート１１と同様の大きさの繊維間隙を有する。
【００１９】
第３シート１３の目付量（単位面積あたりの質量）は、１０〜１５ｇ／ｍ２が好ましい。本実施形態の第３シート１３の目付量は、１３ｇ／ｍ２である。
図１〜図４に示すように、第４シート１４は、編み物製であり、いわゆるカットソー生地により形成されている。本実施形態では、上記編み物を構成する繊維が、例えばナイロンにより形成されている。
【００２０】
第４シート１４の目付量は、１００〜１５０ｇ／ｍ２が好ましい。本実施形態では、第４シート１４の目付量は、１２０ｇ／ｍ２とされている。
図１〜図３に示すように、第４シート１４は、マスク本体１０Ａの最内面を構成する長方形状のシート本体１５と、シート本体１５の幅方向の両側にそれぞれ連なるとともに第１シート１１側に折り返された一対の折り返し部１６とを備える。
【００２１】
シート本体１５は、正面視において第１シート１１と略同一の外形を有する長方形である。
図２に示すように、折り返し部１６は、長さ方向においてシート本体１５の全体にわたって形成されている。
【００２２】
図２及び図３に示すように、折り返し部１６は、第１シート１１の外面において幅方向の両側の縁部を覆っている。折り返し部１６は、一定の幅寸法を有しており、長さ方向に延びる端縁１６Ａを有する。
【００２３】
本実施形態では、第４シート１４に対して周知のキシリトール加工が施されている。これにより、第４シート１４の編み物を構成する繊維の表面には、キシリトール成分が設けられている。
【００２４】
図１及び図２に示すように、マスク本体１０Ａを構成する各シート１１，１２，１３，１４には、長さ方向に沿って延びる複数のプリーツ１８が幅方向に互いに間隔をおいて形成されている。複数のプリーツ１８は、重ね合わされた状態のシート１１，１２，１３，１４を襞折りすることにより形成されている。本実施形態では、３つのプリーツ１８が設けられている。
【００２５】
第３シート１３は、第１シート１１及び第２シート１２に対するバインダとして第４シート１４に対して溶着されている。
マスク本体１０Ａの周縁部には、溶着部群２０が全周に亘って形成されている。溶着部群２０は、互いに間隔をおいて形成された複数の溶着部２０Ａにより構成されている。溶着部２０Ａは、超音波溶着により形成される溶着痕である。
【００２６】
本実施形態では、溶着部２０Ａは、マスク本体１０Ａの長さ方向の両端部については、長さ方向に４列並んで形成されている。溶着部２０Ａは、マスク本体１０Ａの幅方向の両端部については、折り返し部１６において幅方向に３列並んで形成されている。
【００２７】
図１及び図２に示すように、第１シート１１と、第４シート１４の一方の折り返し部１６との間には、長さ方向に沿って延びるとともに使用者の鼻の形に合わせて変形可能な合成樹脂製の芯材１９、いわゆるノーズフィットが収容されている。芯材１９は、上記折り返し部１６において幅方向に隣り合う溶着部２０Ａ同士の間に位置している。
【００２８】
耳掛け部２５の端部は、マスク本体１０Ａの最外面の四隅、詳しくは、折り返し部１６の端部に溶着されている。本実施形態では、耳掛け部２５の端部は、超音波溶着にて折り返し部１６に溶着されている。
【００２９】
次に、本実施形態のマスク１０の作用効果について説明する。
（１）マスク本体１０Ａは、最外面を構成する不織布製の第１シート１１と、第１シート１１よりも小さい繊維間隙であってウイルスを捕捉可能な大きさの繊維間隙を有する不織布製の第２シート１２と、熱可塑性合成樹脂製の第３シート１３と、最内面を構成する編み物製の第４シート１４とを備える。第１シート１１、第２シート１２、第３シート１３、及び第４シート１４が順に重ね合わされている。第１シート１１及び第２シート１２は、第３シート１３をバインダとして第４シート１４に対して溶着されている。
【００３０】
こうした構成によれば、マスク本体１０Ａに流入する空気に含まれるウイルスが第２シート１２によって捕捉される。また、ウイルスを捕捉可能な第２シート１２よりも外側に第１シート１１が設けられているため、第２シート１２がマスク本体１０Ａの最外面を構成する場合に比べて、最外面にウイルスが付着しにくい。また、使用者の肌に接触する第４シート１４が編み物製であるため、不織布製のシートのような毛羽立ちが生じにくく、肌触りが向上する。
【００３１】
特に、上記構成によれば、第１シート１１及び第２シート１２が、第３シート１３をバインダとして第４シート１４に対して溶着されているため、第１シート１１及び第２シート１２と第４シート１４とを容易に接合することができる。これにより、マスク本体１０Ａの厚さを薄くできる。したがって、ウイルスの捕捉性能と装着時における不快感の低減との両立を図ることができる。
【００３２】
（２）第４シート１４の編み物を構成する繊維が、ナイロンにより形成されている。
ナイロンにより構成される編み物は、吸湿性が低いことから、乾きやすい。また、ナイロンにより構成される編み物は皺になりにくい。このため、上記構成によれば、マスク１０を洗濯した際に第４シート１４、ひいてはマスク１０全体を早期に乾燥させることができる。また、第４シート１４に皺が生じることを抑制できる。また、使用者に対して第４シート１４による接触冷感を付与することができる。
【００３３】
（３）第４シート１４に対してキシリトール加工が施されている。
こうした構成によれば、第４シート１４により使用者に付与される接触冷感効果を一層高めることができる。
【００３４】
（４）第４シート１４は、折り返されて第１シート１１の外面の縁部を覆う折り返し部１６を有する。
同構成によれば、編み物製の第４シート１４の折り返し部１６によって第１シート１１の外面の縁部が覆われている。このため、第１シート１１、第２シート１２、及び第３シート１３の縁部が外部に露出しなくなる。したがって、マスク本体１０Ａの縁部が毛羽立つことを抑制できる。したがって、肌触りが一層向上する。
【００３５】
＜変更例＞
上記実施形態は、例えば以下のように変更して実施することもできる。本実施形態及び以下の変更例は、技術的に矛盾しない範囲で互いに組み合わせて実施することができる。
【００３６】
・第３シート１３は、ポリエステルなどのポリエステル系樹脂に限られず、例えばポリアミド系樹脂や、ポリウレタン系樹脂であってもよい。
・第３シート１３は、第２シート１２と同様の大きさの繊維間隙を有するものとしたり、第１シート１１及び第２シート１２とは異なる大きさの繊維間隙を有するものとしてもよい。
【００３７】
・第４シート１４に対するキシリトール加工を省略してもよい。
・第４シート１４に折り返し部１６を設けることとしたが、折り返し部１６を設けなくてもよい。すなわち、第４シート１４をシート本体１５のみによって構成することもできる。
【００３８】
・第４シート１４の編み物を構成する繊維は、ナイロンに限られない。例えば、ポリエステルやレーヨンなどの繊維により第４シート１４の編み物を構成するようにしてもよい。また、複数の繊維によって第４シート１４の編み物を構成するようにしてもよい。
【符号の説明】
【００３９】
１０…マスク
１０Ａ…マスク本体
１１…第１シート
１２…第２シート
１３…第３シート
１４…第４シート
１５…シート本体
１６…折り返し部
１６Ａ…端縁
１８…プリーツ
１９…芯材
２０…溶着部群
２０Ａ…溶着部
２５…耳掛け部
【要約】
【課題】ウイルスの捕捉性能と装着時における不快感の低減との両立を図ることのできるマスクを提供する。
【解決手段】使用者の顔面の対象部位を覆うマスク本体１０Ａと、マスク本体１０Ａから延びる一対の耳掛け部と、を備えるマスク１０であって、マスク本体１０Ａは、最外面を構成する不織布製の第１シート１１と、第１シート１１よりも小さい繊維間隙であってウイルスを捕捉可能な大きさの繊維間隙を有する不織布製の第２シート１２と、熱可塑性合成樹脂製の第３シート１３と、最内面を構成する編み物製の第４シート１４とを備える。マスク本体１０Ａは、第１シート１１、第２シート１２、第３シート１３、及び第４シート１４が順に重ね合わされており、第１シート１１及び第２シート１２は、第３シート１３をバインダとして第４シート１４に対して溶着されている。
【選択図】図３【図１】
0006966118.tif 000002
【図２】
0006966118.tif 000003
【図３】
0006966118.tif 000004
【図４】
0006966118.tif 000005